(57)【特許請求の範囲】
【請求項１】
屋内壁面から離間した状態で屋内壁面に沿って複数の木質パネルが並べて施工される木質パネルの取付構造であって、
隣り合う木質パネル間に隙間が形成されるとともに、その隙間が木質パネルの表面側および裏面側間を連通する通気路として構成され、
前記通気路は、パネル表面側に開口する表面側開口部と、パネル裏面側に開口する裏面側開口部と、前記表面側開口部および前記裏面側開口部間を連通する主要部と、を有し、
前記表面側開口部が、前記裏面側開口部に対し、木質パネルの並列方向に位置をずらせて配置され、
前記通気路の主要部が、前記表面側開口部側から前記裏面側開口部側に向かうに従って屋内壁面に近づくように傾斜しており、
隣り合う木質パネルの対向縁部のうち一方側の木質パネルにおける対向縁部の表面側に、他方側の木質パネルに向けて延びる上あご片が設けられるとともに、他方側の木質パネルにおける対向縁部の裏面側に、一方側の木質パネルに向けて延びる下あご片が設けられ、
前記上あご片の裏側の面に、先端に向かうに従って屋内壁面から遠ざかるように傾斜する裏側傾斜面が設けられるとともに、前記下あご片の表側の面に、先端に向かうに従って屋内壁面に近づくように傾斜する表側傾斜面が設けられ、
前記通気路の主要部が、前記上あご片の裏側傾斜面と、前記下あご片の表側傾斜面との間の隙間によって形成され、
前記木質パネルの裏面に凹凸形状が形成されていることを特徴とする木質パネルの取付構造。
【請求項２】
木質パネルは、帯板形状を有し、
木質パネルがその長さ方向を水平方向に配置した状態で上下方向に並んで配置され、
上下方向に隣り合う木質パネル間に前記通気路が形成される請求項１に記載の木質パネルの取付構造。
【請求項３】
木質パネルを屋内壁面に取り付けるための取付具を備え、
前記取付具は、屋内壁面に設置される壁面設置体と、その壁面設置体の表面側に設けられ、かつ隣り合う木質パネル間に配置されるパネル間設置体とを有し、
前記パネル間設置体は、軸心に対し直交する径方向の寸法が、一径方向と、他の径方向とで異なるように形成されるとともに、両径方向のうち、寸法が短い側の径方向が短径方向、長い側の径方向が長径方向として構成され、
前記パネル間設置体をその短径方向を木質パネルの並列方向に一致させた状態に配置して、前記パネル間設置体の前記短径方向両側に、隣り合う木質パネルの対向縁部をそれぞれ支持するようにしたパネル間近接形態と、前記パネル間設置体をその長径方向を木質パネルの並列方向に一致させた状態に配置して、前記パネル間設置体の前記長径方向両側に、隣り合う木質パネルの対向縁部をそれぞれ支持するようにしたパネル間隔離形態との間で選択して、木質パネルが屋内壁面に取り付けられるよう構成され、
前記パネル間隔離形態では、隣り合う木質パネルの対向縁部が離間して配置されるとともに、前記パネル間近接形態では、隣り合う木質パネルの対向縁部が、前記パネル間隔離形態の場合と比べて近接して配置されるよう構成された請求項１または２に記載の木質パネルの取付構造。
【請求項４】
隣り合う他の木質パネルに対して縁部同士を対向させて、屋内壁面に沿って複数並べて施工される木質パネルであって、
両側縁部のうち一方側の縁部における表面側に、側方に向けて延びる上あご片が設けられるとともに、他方側の縁部における裏面側に、側方に向けて延びる下あご片が設けられ、
前記上あご片の裏側の面に、先端に向かうに従って屋内壁面から遠ざかるように傾斜する裏側傾斜面が設けられるとともに、前記下あご片の表側の面に、先端に向かうに従って屋内壁面に近づくように傾斜する表側傾斜面が設けられ、
裏面に凹凸形状が形成されていることを特徴とする木質パネル。
【発明の詳細な説明】
【技術分野】
【０００１】
この発明は、一般家屋等の屋内壁面に沿って複数の木質パネルが並べて施工される木質パネルの取付構造およびその構造に適用可能な木質パネルに関する。
【背景技術】
【０００２】
一般住宅における室内の壁面構造としては、壁面に壁紙を貼り付けたり、木質パネル（化粧パネル）を複数並べて貼り付けたものが周知である。
【０００３】
特許文献１に示すように、木質パネルを用いるものは、木材自身が保有する湿度調整機能（調湿機能）によって、快適な居住環境を得ることができる。
【０００４】
また特許文献２には、木質パネルが屋内壁面から離間した状態で屋内壁面に沿って複数並べて施工された木質パネルの取付構造が開示されている。さらにこの取付構造においては、隣り合う木質パネル間に隙間を形成し、その隙間を介して、室内の空気が木質パネルの裏面側にも流通するように構成している。これにより、木質パネルの裏面側にも屋内空気を十分に接触させるようにして、調湿性能を一層向上させるようにしている。
【先行技術文献】
【特許文献】
【０００５】
【特許文献１】特開２００１−２７０３３号
【特許文献２】特開２０１１−６８６８号
【発明の概要】
【発明が解決しようとする課題】
【０００６】
しかしながら、木質パネルの取付構造の技術分野においては、調湿性能をさらに向上させることができる技術の開発が望まれるところである。
【０００７】
この発明は、上記の課題に鑑みてなされたものであり、調湿性能をさらに向上させることができる木質パネルの取付構造およびその構造に適用可能な木質パネルを提供することを目的とする。
【課題を解決するための手段】
【０００８】
上記課題を解決するため、本発明は、以下の手段を備えるものである。
【０００９】
［１］屋内壁面から離間した状態で屋内壁面に沿って複数の木質パネルが並べて施工される木質パネルの取付構造であって、
隣り合う木質パネル間に隙間が形成されるとともに、その隙間が木質パネルの表面側および裏面側間を連通する通気路として構成され、
前記通気路は、パネル表面側に開口する表面側開口部と、パネル裏面側に開口する裏面側開口部と、前記表面側開口部および前記裏面側開口部間を連通する主要部と、を有し、
前記表面側開口部が、前記裏面側開口部に対し、木質パネルの並列方向に位置をずらせて配置され、
前記通気路の主要部が、前記表面側開口部側から前記裏面側開口部側に向かうに従って屋内壁面に近づくように傾斜していることを特徴とする木質パネルの取付構造。
【００１０】
［２］隣り合う木質パネルの対向縁部のうち一方側の木質パネルにおける対向縁部の表面側に、他方側の木質パネルに向けて延びる上あご片が設けられるとともに、他方側の木質パネルにおける対向縁部の裏面側に、一方側の木質パネルに向けて延びる下あご片が設けられ、
前記上あご片の裏側の面に、先端に向かうに従って屋内壁面から遠ざかるように傾斜する裏側傾斜面が設けられるとともに、前記下あご片の表側の面に、先端に向かうに従って屋内壁面に近づくように傾斜する表側傾斜面が設けられ、
前記通気路の主要部が、前記上あご片の裏側傾斜面と、前記下あご片の表側傾斜面との間の隙間によって形成される前項１に記載の木質パネルの取付構造。
【００１１】
［３］木質パネルは、帯板形状を有し、
木質パネルがその長さ方向を水平方向に配置した状態で上下方向に並んで配置され、
上下方向に隣り合う木質パネル間に前記通気路が形成される前項１または２に記載の木質パネルの取付構造。
【００１２】
［４］木質パネルを屋内壁面に取り付けるための取付具を備え、
前記取付具は、屋内壁面に設置される壁面設置体と、その壁面設置体の表面側に設けられ、かつ隣り合う木質パネル間に配置されるパネル間設置体とを有し、
前記パネル間設置体は、軸心に対し直交する径方向の寸法が、一径方向と、他の径方向とで異なるように形成されるとともに、両径方向のうち、寸法が短い側の径方向が短径方向、長い側の径方向が長径方向として構成され、
前記パネル間設置体をその短径方向を木質パネルの並列方向に一致させた状態に配置して、前記パネル間設置体の前記短径方向両側に、隣り合う木質パネルの対向縁部をそれぞれ支持するようにしたパネル間近接形態と、前記パネル間設置体をその長径方向を木質パネルの並列方向に一致させた状態に配置して、前記パネル間設置体の前記長径方向両側に、隣り合う木質パネルの対向縁部をそれぞれ支持するようにしたパネル間隔離形態との間で選択して、木質パネルが屋内壁面に取り付けられるよう構成され、
前記パネル間隔離形態では、隣り合う木質パネルの対向縁部が離間して配置されるとともに、前記パネル間近接形態では、隣り合う木質パネルの対向縁部が、前記パネル間隔離形態の場合と比べて近接して配置されるよう構成された前項１〜３のいずれか１項に記載の木質パネルの取付構造。
【００１３】
［４ａ］前記パネル間設置体は、正面視において横方向を短径方向、縦方向を長径方向とする略長方形に形成されている前項４に記載の木質パネルの取付構造。
【００１４】
［５］隣り合う他の木質パネルに対して縁部同士を対向させて、屋内壁面に沿って複数並べて施工される木質パネルであって、
両側縁部のうち一方側の縁部における表面側に、側方に向けて延びる上あご片が設けられるとともに、他方側の縁部における裏面側に、側方に向けて延びる下あご片が設けられ、
前記上あご片の裏側の面に、先端に向かうに従って屋内壁面から遠ざかるように傾斜する裏側傾斜面が設けられるとともに、前記下あご片の表側の面に、先端に向かうに従って屋内壁面に近づくように傾斜する表側傾斜面が設けられたことを特徴とする木質パネル。
【発明の効果】
【００１５】
発明［１］の木質パネルの取付構造によれば、木質パネルを壁面から離間した状態でかつ隣り合う木質パネル間に隙間を形成した状態に配置しているため、屋内空気が木質パネルの表裏間でスムーズに往来するようになり、木質パネルの屋内空気との接触面積を大きく確保することができる。従って、木質パネルによる屋内空気に対する吸放湿を十分に行うことができ、室内の調湿性能を向上させることができる。その上さらに、隣り合う木質パネル間の隙間によって形成される通気路のうち主要部を傾斜させているため、空気が通気路内をより一層スムーズに流通するようになり、調湿性能をより一層向上させることができる。
【００１６】
発明［２］の木質パネルの取付構造によれば、上記の効果をより確実に得ることができる。
【００１７】
発明［３］の木質パネルの取付構造によれば、帯板状の木質パネルが上下方向に沿って並列に複数配置されるため、意匠性の高い壁面構造を形成することができる。
【００１８】
発明［４］の木質パネルの取付構造によれば、、パネル間の間隔が広くなるパネル間隔離形態と、狭くなるパネル間近接形態とのいずれの形態でも施工できるため、所望の形態での施工が可能となり、汎用性を向上させることができる。
【００１９】
発明［５］の木質パネルを用いれば、上記発明［１］の取付構造を確実に実現することができ、上記と同様の効果を得ることができる。
【図面の簡単な説明】
【００２０】
【図１】図１はこの発明の実施形態である木質パネルの取付構造が適用された室内の壁面構造を示す正面図である。
【図２】図２は実施形態の壁面構造を示す側面断面図である。
【図３Ａ】図３Ａはパネル間近接形態が採用された実施形態の壁面構造における取付具周辺を拡大して示す側面断面図である。
【図３Ｂ】図３Ｂは図３Ａの分解断面図である。
【図３Ｃ】図３Ｃは実施形態の壁面構造においてパネル間の通気路周辺を拡大して示す側面断面図である。
【図４Ａ】図４Ａはパネル間隔離形態が採用された実施形態の壁面構造における取付具周辺を拡大して示す側面断面図である。
【図４Ｂ】図４Ｂは図４Ａの分解断面図である。
【図５】図５は実施形態に適用された取付具を示す斜視図である。
【図６Ａ】図６Ａは実施形態に適用された取付具を縦方向から見た状態での断面図である。
【図６Ｂ】図６Ｂは実施形態の取付具を横方向から見た状態での断面図である。
【図６Ｃ】図６Ｃは実施形態の取付具を示す正面断面図である。
【図７】図７は実施形態に適用された取付具を示す図であって、同図（ａ）は正面図、同図（ｂ）は縦方向の端面図、同図（ｃ）は裏面図、同図（ｄ）は横方向の端面図である。
【図８】図８は実施形態に適用された木質パネルの側面図である。
【発明を実施するための形態】
【００２１】
図１はこの発明の実施形態である木質パネルの取付構造が適用された室内の壁面構造を示す正面図、図２は側面断面図である。
【００２２】
両図に示すように、この壁面構造は、一般住宅における室内の壁面（屋内壁面）Ｗに、多数の木質パネル１が取付具５を介して取り付けられている。なお以下の説明においては、室内側から壁面Ｗに近づいていく方向を、裏面側方向（後側方向）とし、その逆方向、つまり壁面Ｗから遠ざかっていく方向を、表面側方向（前側方向）として説明する。
【００２３】
壁面Ｗは、例えば間柱や胴縁の室内側に、多数の合板が面状に並べて貼り付けられるとともに、その合板上に、多数の石膏ボードが面状に並べて貼り付けられて構成されている。
【００２４】
木質パネル１は、所定の長さを有する帯板状の形状を有している。この木質パネル１は、例えば複数の木材片を接着剤を用いて再構成して作製された集成材等を加工することよって形成されている。  
【００２５】
図３Ｂ、図３Ｃおよび図８等に示すように、木質パネル１の一側縁部（下側縁部）２は、その裏面側が切り欠かれることによって、表面側に上あご片２１が一側方（下方）に突出するように形成されている。上あご片２１の裏側の面は、上あご片２１の先端側から基端側に向かうに従って、裏面側（壁面側）に近づくように傾斜する裏側傾斜面２２として形成されている。
【００２６】
木質パネル１の一側縁部２には、上あご片２１よりも裏面側（壁面側）に、パネル長さ方向に連続して延びる切込溝２４が形成されるとともに、切込溝２４よりも裏面側（壁面側）に、後述する取付具５の嵌合溝７１，７２に嵌合可能な嵌合凸部２５が形成されている。さらにその嵌合凸部２５の先端面と裏面との間には、面取り部２６が形成されている。
【００２７】
なお上あご片２１の先端面および嵌合凸部２５の先端面は、壁面Ｗに対し直交し、かつパネル長さ方向に平行な平坦面に形成されている。
【００２８】
さらに本実施形態において、木質パネル１の一側縁部２は、上あご片２１および嵌合凸部２５を含むものである。さらに本実施形態において、一側縁部２の表面側は、上あご片２１を含むものであり、一側縁部２の裏面側は、嵌合凸部２５を含むものである。
【００２９】
木質パネル１の他側縁部（上側縁部）３は、その表面側が切り欠かれることによって、裏面側に下あご片３１が他側方（上方）に突出するように形成されている。下あご片３１の表側の面は、下あご片３１の基端側から先端側に向かうに従って、裏面側（壁面側）に近づくように傾斜する表側傾斜面３２として形成されている。この表側傾斜面３２は、上記上あご片２１の裏面側傾斜面２２に対応して形成されており、後述するように、両傾斜面２２，３２間によって通気路４の主要部４２が形成される。
【００３０】
下あご片３１の先端面には、パネル長さ方向に連続する切込溝３４が形成され、下あご片３１における切込溝３４よりも裏面側の部分が、後に詳述するように取付具５の嵌合溝７１，７２に嵌合可能な嵌合凸部３５として構成されている。さらに下あご片３１の先端面と裏面との間には、面取り部３６が形成されている。
【００３１】
また木質パネル１の他側縁部における下あご片３１よりも表面側には、壁面Ｗに対し直交し、かつパネル長さ方向に平行な上あご対向面３３が形成されている。
【００３２】
なお下あご片３１の先端面は、壁面に対し直交し、かつパネル長さ方向に平行な平坦面に形成される。
【００３３】
さらに本実施形態において、木質パネル１の他側縁部３は、下あご片３１および上あご対向面３３を含むものである。さらに本実施形態において、他側縁部３の表面側は、上あご対向面によって構成されるとともに、他側縁部３の裏面側は、嵌合凸部３５を含む下あご片３１によって構成されている。
【００３４】
一方図５〜７に示すように、取付具５は、壁面Ｗに設置される壁面設置体６と、壁面設置体６の前面側（表面側）に一体に形成され、かつ隣り合う木質パネル１，１間に配置されるパネル間設置体７とを備えている。この取付具５は、例えばポリプロピレン（ＰＰ）等の硬質合成樹脂の一体成形品（射出成形品）によって構成されている。
【００３５】
壁面設置体６は、図７（ａ）に示す正面視において上下方向に対応する横方向Ｄ１が、同図の左右方向に対応する縦方向Ｄ２に対し短く形成された長方形の形状を有している。
【００３６】
またパネル間設置体７は、同図の正面視において、壁面設置体６に対しサイズが小さい略相似形に形成されている。すなわちパネル間設置体７は、横方向（図７（ａ）の上下方向）Ｄ１が、縦方向（同図の左右方向）Ｄ２に対し短く形成された長方形の形状を有している。
【００３７】
さらにパネル間設置体７の前端（表面側）外周には、溝壁部７５が外径方向に突出するように形成されている。
【００３８】
これにより、壁面設置体６と溝壁部７５との間において、パネル間設置体７の横方向両側（図７（ａ）の上下両側）に、横方向両側に開放された第１嵌合溝７１，７１がそれぞれ形成されるとともに、パネル間設置体７の縦方向両側（同図の左右両側）に、縦方向両側に開放された第２嵌合溝７２，７２がそれぞれ形成される。
【００３９】
また各嵌合溝７１，７２は、開口部の幅が、その溝底の幅よりも大きく形成されており、木質パネル１の嵌合凸部２５，３５をスムーズに嵌合できるようになっている。
【００４０】
図５および図６Ｃ等に示すように、第１嵌合溝７１の溝底面における中間部には切欠部７１１が形成されて、溝底面における切欠部７１１を除いた両側の領域が、木質パネル１における嵌合凸部２５，３５の先端面に接触するパネル接触面７１２，７１２として構成されている。このように本実施形態において、第２嵌合溝７２は、溝底面全域の面積に比べて、パネル接触面７１２の面積が小さく設定されている。これは、後に詳述するように、パネル施工後に木質パネル１が不用意に浮き上がるのを防止するためである。
【００４１】
また第２嵌合溝７２は、その溝底面の全域が、木質パネル１における嵌合凸部２５，３６の先端面に接触するパネル接触面７２２として構成されている。
【００４２】
なお、本実施形態において、第１嵌合溝７１のパネル接触面７１２，７１２の面積と、第２嵌合溝７２のパネル接触面７２２の面積とは、ほぼ等しく設定されている。
【００４３】
ここで本実施形態においては、図６Ａ，Ｂに示すように、第１嵌合溝７１，７１における互いの底壁面間の寸法、詳細には、一方の嵌合溝７１のパネル設置面７１２と、他方の嵌合溝７１のパネル設置面７１２との間の寸法は、パネル間設置体７の横方向Ｄ１の寸法Ｈ１に相当することなる。さらに第２嵌合溝７２，７２における底壁面間の寸法は、パネル間設置体７の縦方向Ｄ２の寸法Ｈ２に相当することになる。
【００４４】
また本発明においては、壁面Ｗに対し直交し、かつパネル間設置体７の中心（例えば、正面視において、パネル間設置体７における短径方向の中心線と長径方向の中心線とが交差する点、外接円中心、内接中心等）を通過する線分が、軸心として構成され、その軸心に対し直交する方向が径方向として構成されるものである。
【００４５】
さらに本実施形態においては、横方向Ｄ１が短径方向として構成されるとともに、縦方向Ｄ２が長径方向として構成されている。言うまでもなく、横方向Ｄ１は、縦方向Ｄ２に対し正面視の状態で９０°の角度に設定されている。
【００４６】
また本実施形態において、横方向Ｄ１および縦方向Ｄ２は、共に径方向を構成するものである。
【００４７】
図５〜７に示すように、取付具５の壁面設置体６は、後面側（裏面側）が開放された中空構造によって構成されている。
【００４８】
この取付具５の前部には、前面側に開放され、かつ軸心に沿って裏面側に延びるビス取付用筒状凹部５１が形成されている。さらにそのビス取付用筒状凹部５１の底壁には、ビス挿通用筒状部５２が軸心に沿って裏面側に延びるように形成されている。そしてビス挿通用筒状部５２の表面側開口部がビス取付用筒状凹部５１内に連通されるとともに、ビス挿通用筒状部５２の裏面側開口部が、取付具５の裏面側に開放されている。
【００４９】
なお本実施形態においては、必要に応じて、ビス取付用筒状凹部５１およびビス挿通筒状部５２を総称して、ビス取付孔５１，５２と称する。
【００５０】
また本実施形態においては、第１，第２嵌合溝７１，７２が、隣り合う木質パネル１，１の対向縁部２，３を支持するための第１，第２パネル支持部として構成されている。
【００５１】
本実施形態においては、各木質パネル１が左右方向（水平方向）に沿って配置された状態で、上下方向に並列に複数並べて配置されるようにして、壁面Ｗに施工されるものであり、後に詳述するように各木質パネル１の上下両側縁部２，３が、その両側縁部２，３に沿って所定の間隔おきに配置された複数の取付具５を介して、壁面Ｗに支持固定されるものである。
【００５２】
さらに本実施形態において、各木質パネル１は、その一側縁部２側が下方側に配置されるとともに、他側縁部３側が上方に配置されるように施工される。従って本実施形態においては、必要に応じて、木質パネル１の「一側縁部２」を「下側縁部２」と称し、「他側縁部３」を「上側縁部３」と称する。
【００５３】
なお、本実施形態において、隣り合う木質パネル１，１の対向縁部２，３は、上下に隣り合う木質パネル１，１のうち、上側の木質パネル１における一側縁部（下側縁部）２と、下側の木質パネル１における他側縁部（上側縁部）３によって構成されるものである。
【００５４】
本実施形態では、木質パネル１を施工するに際して、木質パネル１を、上下に隣り合うパネル間に小さめの隙間が形成されるパネル間近接形態と、大きめの隙間が形成されるパネル間隔離形態とのいずれの形態においても施工できるようになっている。
【００５５】
まず始めにパネル間近接形態で施工する場合について説明する。
【００５６】
図３Ａ，３Ｂに示すように、壁面Ｗにおける１段目の木質パネル１の一側縁部（下側縁部）２を固定する位置に、複数の取付具５を左右方向（水平方向）に沿って適当な間隔おきに取り付ける。このとき各取付具５は、そのパネル間設置体７の横方向Ｄ１が上下方向（パネル並列方向）に一致するようにして、壁面設置体６の裏面側を壁面Ｗに設置し、その状態で、ビス５５を取付具５の前面側からビス取付用筒状凹部５１に挿入し、さらにビス５５の軸部をビス挿通用筒状部５２に挿通して壁面Ｗにねじ込むことにより、各取付具５を壁面Ｗにそれぞれ固定する。この状態では、横方向両側の第１嵌合溝７１，７１が上下両側に配置されるとともに、縦方向両側の第２嵌合溝７２，７２が左右両側に配置される。
【００５７】
こうして固定された各取付具５におけるパネル間設置体７の上側の第１嵌合溝７１内に、１段目の木質パネル１の一側縁部（下側縁部）２における嵌合凸部２５をそれぞれ嵌合し、これにより木質パネル１の下側縁部２を、複数の取付具５を介して壁面Ｗに支持する。
【００５８】
次に、１段目の木質パネル１の他側縁部（上側縁部）３に、その上側縁部３に沿って所定の間隔おきに複数の取付具５を設置する。つまり木質パネル１の上側縁部３における嵌合凸部３５に、取付具５におけるパネル間設置体７の横方向一方側（下側）の第１嵌合溝７１を外嵌する。このとき、各取付具５は、上記と同様に、パネル間設置体７の横方向Ｄ１が上下方向に沿って配置される。
【００５９】
そして各取付具５の壁面設置体６を壁面Ｗに沿わせるように配置した状態で、取付具５の表面側からビス５５を、ビス取付孔５１，５２に挿通して壁面Ｗにねじ込むことにより、取付具５を壁面Ｗに固定する。こうして１段目の木質パネル１の上側縁部３を、複数の取付具５を介して壁面Ｗに支持する。
【００６０】
続いて、１段目の木質パネル１の上側縁部３を支持する複数の取付具５における上側の第１嵌合溝７１内に、２段目の木質パネル１の下側縁部２を上記と同様に差し込んで、壁面Ｗに支持する。
【００６１】
さらに２段目の木質パネル１の上側縁部３を、複数の取付具５を介して壁面Ｗに支持する。このときも上記と同様に、取付具５は、パネル間設置体７の横方向Ｄ１を上下方向に一致させるように配置し、横方向下側の第１嵌合溝７１内に、２段目の木質パネル１の上側縁部３を嵌め込むようする。
【００６２】
以下同様にして、複数の取付具５および木質パネル１を順次施工することによって、壁面Ｗにおけるパネル取付予定部全域に、木質パネル１が取り付けられて、施工作業が完了する。
【００６３】
このようにパネル間近接形態によって施工された壁面構造においては、上下に隣り合う木質パネル１，１の対向縁部２，３が、取付具５のパネル間設置体７における横方向両側の第１嵌合溝７１，７１に支持される。この状態において、パネル間設置体７の横方向寸法Ｈ１は短く設定されているため、上下の木質パネル１，１が近接した状態に配置されて、対向縁部２，３間に狭い隙間が形成される。この隙間は、木質パネル１の表裏間を連通する通気路４として機能する。さらにこの通気路４は、表面側開口部４１、主要部４２および裏面側開口部４３の３つの部分によって構成されている。
【００６４】
具体的に説明すると、図３Ａ、３Ｃの側面断面視（パネル長さ方向に直交する平面で切断した際の断面視）の状態において、表面側開口部４１は、上側木質パネル１の上あご片２１の先端面と、下側木質パネル１の上あご対向面３３との間の隙間によって構成され、壁面Ｗに対し垂直に延びるように配置される。主要部４２は、上側木質パネル１の裏側傾斜面２２と、下側木質パネル１の表側傾斜面３２との間の隙間によって構成され、かつ壁面Ｗに対し傾斜するように配置される。裏面側開口部４３は、上側木質パネル１の嵌合凸部２５の先端面と、下側木質パネル１の嵌合凸部３５の先端面との間の隙間によって構成され、壁面Ｗに対し垂直に延びるように配置される。
【００６５】
本実施形態において、図３Ａ、３Ｃの側面断面視の状態では、通気路４における表面開口部４１および主要部４２間のコーナー部と、主要部４２および裏面側開口部４３間のコーナー部とは共に、直角を超える鈍角のコーナー部に形成されている。従って通気路４は、コーナー部の曲りが小さい滑らかな通気路４に形成されている。
【００６６】
ここで、上下に隣合う木質パネル１，１のうち、一方側（上側）の木質パネル１の一側縁部（下側縁部）２における上あご片２１は、既述したように、他方側（下側）の木質パネル１に向けて他側方（下方）に突出するように形成されるとともに、他方側（上側）の木質パネル１の他側縁部（上側縁部）３における下あご片３１は、一方側（上側）の木質パネル１に向けて一側方（上方）に突出するように形成されている。そして、通気路４における表面側開口部４１は、上あご片２１の先端側（下あご片３１の基端側）に配置されるとともに、裏面側開口部４３は、上あご片２１の基端側（下あご片３１の先端側）に配置されている。つまり、本実施形態においては、表面側開口部４１が、裏面側開口部４３に対して、木質パネル１の並列方向（上下方向）に位置をずらせて配置されている。
【００６７】
このパネル間近接形態において、上あご片２１の先端面と、上あご対向面３３との間の隙間（表面側開口部４１の幅）寸法は、２ｍｍ程度に設定されている。
【００６８】
なおこのパネル間近接形態において、取付具５の壁面設置体６は、木質パネル１を支持するパネル間設置体７と壁面Ｗとの間に介在されることにより、木質パネル１を壁面Ｗに対し離間した状態に保持するためのスペーサーとして機能する。
【００６９】
一方、パネル間に大きめの隙間が形成されるパネル間隔離形態で施工する場合、以下に説明するように、上記のパネル間近接形態の場合と比較して、各取付具５を軸心回りに９０°回転させた状態にして施工するものである。
【００７０】
すなわち図４Ａ，４Ｂに示すように、壁面Ｗにおける１段目の木質パネル１の下側縁部２を固定する位置に、複数の取付具５を左右方向（水平方向）に沿って適当な間隔おきに取り付ける。このとき各取付具５は、そのパネル間設置体７の縦方向Ｄ２が上下方向（パネル並列方向）に一致するようにして、壁面設置体６の裏面側を壁面Ｗに設置し、その状態で、ビス５５を取付具５の前面側からビス取付孔５１，５２に挿通して、壁面Ｗにねじ込むことにより、各取付具５を壁面Ｗにそれぞれ固定する。この状態では、縦方向両側の第２嵌合溝７２，７２が上下両側に配置されるとともに、横方向両側の第１嵌合溝７１，７１が左右両側に配置される。
【００７１】
こうして固定された各取付具５におけるパネル間設置体７の上側の第２嵌合溝７２内に、１段目の木質パネル１の一側縁部（下側縁部）２における嵌合凸部２５をそれぞれ嵌合し、これにより木質パネル１の下側縁部２を、複数の取付具５を介して壁面Ｗに支持する。
【００７２】
次に、１段目の木質パネル１の他側縁部（上側縁部）３に、その上側縁部３に沿って所定の間隔おきに複数の取付具５を設置する。つまり木質パネル１の上側縁部３における嵌合凸部３５に、取付具５におけるパネル間設置体７の縦方向一方側（下側）の第２嵌合溝７２を外嵌する。このとき、各取付具５は、上記と同様に、パネル間設置体７の縦方向Ｄ２が上下方向に沿って配置される。
【００７３】
そして各取付具５の壁面設置体６を壁面に設置した状態で、取付具５の表面側からビス５５を、ビス取付孔５１，５２に挿通して壁面Ｗにねじ込むことにより、取付具５を壁面Ｗに固定する。こうして１段目の木質パネル１の上側縁部３を、複数の取付具５を介して壁面Ｗに支持する。
【００７４】
続いて、１段目の木質パネル１の上側縁部３を支持する複数の取付具５における上側の第２嵌合溝７２内に、２段目の木質パネル１の下側縁部２を上記と同様に差し込んで、壁面Ｗに支持する。
【００７５】
さらに２段目の木質パネル１の上側縁部３を、複数の取付具５を介して壁面Ｗに支持する。このときも上記と同様に、取付具５は、パネル間設置体７の縦方向Ｄ２を上下方向に一致させるように配置し、縦方向下側の第２嵌合溝７２内に、２段目の木質パネル１の上側縁部３を嵌め込むようにする。
【００７６】
以下同様にして、複数の取付具５および木質パネル１を順次施工することによって、壁面Ｗにおけるパネル取付予定部全域に、木質パネル１が取り付けられて、施工作業が完了する。
【００７７】
なお言うまでもなく、本発明において、施工手順は、上記のものに限定されるものではなく、どのような手順で施工するようにしても良い。
【００７８】
このようにパネル間隔離形態によって施工された壁面構造においては、上下に隣合う木質パネル１，１の対向縁部２，３が、取付具５のパネル間設置体７における縦方向両側の第２嵌合溝７２，７２に支持される。この状態において、パネル間設置体７の縦方向寸法Ｈ２は長く設定されているため、上下の木質パネル１，１が大きく離間した状態に配置されて、対向縁部２，３間に、パネル表裏間を連通する通気路４として機能する大きめの隙間が形成される。
【００７９】
すなわち図４Ａの断面視状態において、対向縁部２，３間に、上あご片２１の先端面および上あご対向面３３間の隙間に形成され、かつ壁面Ｗに対し垂直に延びる表面側開口部４１と、裏側傾斜面および表側傾斜面３２間の隙間に形成され、かつ壁面Ｗに対し傾斜する主要部４２と、嵌合凸部２５，３６間の隙間に形成され、かつ壁面Ｗに対し垂直に延びる裏面側開口部４３とを備えた通気路４が形成されている。
【００８０】
さらに通気路４は、上記と同様、表面側開口部４１、主要部４２および裏面側開口部４３の各間のコーナー部が、直角を超える鈍角に形成されることにより、コーナー部の曲りが小さい滑らかな通路に形成されている。
【００８１】
このパネル間隔離形態において、上あご片２１の先端面と、上あご対向面３３との間の隙間（表面側開口部４１の幅）寸法は、１０ｍｍ程度に設定されている。
【００８２】
なおこのパネル間隔離形態においても、上記と同様に、表面側開口部４１が、裏面側開口部４３に対して、木質パネル１の並列方向（上下方向）に位置をずらせて配置されている。
【００８３】
さらにパネル間隔離形態においても、上記と同様に、取付具５の壁面設置体６は、木質パネル１を支持するパネル間設置体７と壁面Ｗとの間に介在されることにより、木質パネル１を壁面Ｗに対し離間した状態に保持するためのスペーサーとして機能する。
【００８４】
以上のように、本実施形態の木質パネルの取付構造によれば、室内の調湿性能を向上させることができる。すなわち木質材は、その表裏両面、左右両側端面および上下両側端面を含む全周面（周囲６面）から、水分（湿気成分）を吸収したり、放出することにより、周辺の湿度を適正に調整するものであるため、木質パネル１の全周面のうち、室内の空気（雰囲気）との接触する面積が大きくなるほど、吸放湿量を多くでき、調湿性能を向上させることができる。
【００８５】
そこで本実施形態においては、木質パネル１を壁面Ｗから離間した状態に配置するものであるため、木質パネル１の表裏両面を共に室内空気に接触させることができ、木質パネル１の全周面における室内空気（屋内空気）との接触面積を大きく確保することができる。このため各木質パネル１による室内空気に対する吸放湿を十分に行うことができ、室内の調湿性能を十分に確保できて、快適な居住空間を確保することができる。
【００８６】
しかも本実施形態においては、隣り合う木質パネル１，１間に、パネル裏面に通じる通気路（隙間）４を形成しているため、その通気路４を通って、室内の空気が、パネル裏面側と表面側との間で循環し易くなり、パネル裏面や周辺部での吸放湿をより確実に行うことができ、より一層調湿性能を向上させることができる。
【００８７】
特にパネル間隔離形態においては、通気路４の幅を広くできるため、パネル表裏間での空気の往来がスムーズに行われ、パネル裏面等での吸放湿をより一層確実に行うことができ、より一層確実に調湿性能を向上させることができる。
【００８８】
その上さらに、本実施形態においては、通気路４の主要部４２を、表面側開口部４１側から裏面側開口部４３に向かうに従って、裏面側に近づくように傾斜させているため、パネル表面側から表面側開口部４１に流入する空気は、主要部４２を抵抗無くスムーズに流通してパネル裏面側に導かれるとともに、パネル裏面側から裏面側開口部４３に流入する空気は、通気路４の主要部４２を抵抗無くスムーズに流通してパネル表面側へと導かれる。従って、パネル表裏間での空気の往来（循環）をより一層スムーズに行うことができ、調湿津性能を一層向上させることができる。
【００８９】
なお本実施形態では、隣り合う木質パネル１，１において、上側の木質パネル１の下側縁部２における上あご片２１が、下側の木質パネル１の下あご片３１における表面側に配置されるため、パネル表面側からパネル間の隙間（通気路４）を通して壁面Ｗが視認されるような不具合を確実に防止することができる。
【００９０】
また本実施形態においては、パネル間に小さめの隙間が形成されるパネル間近接形態と、大きめの隙間が形成されるパネル間隔離形態とのいずれの形態でも施工できるようにしているため、居住者等のユーザーは、施工場所や施工目的に応じて、上記２つの形態の中から、好ましい形態を選択することができる。例えばリビングルーム等の場所では、パネル間近接形態で施工することによって、パネル間の隙間が小さくて意匠性の高い壁面構造を形成できる一方、寝室等の場所では、パネル間隔離形態で施工することによって、調湿性能が非常に優れた壁面構造を形成できて、快適な居住空間を得ることができる。このようにユーザーのニーズ等に合わせて、調湿性能を重視したり、意匠性を重視した壁面構造を形成することが可能であり、選択肢が増えて、汎用性を向上させることができ、高い商品価値を得ることができる。
【００９１】
さらに本実施形態では、パネル間近接形態およびパネル間隔離形態のいずれにおいても１種類の取付具５によって施工できるようにしているため、部品点数の削減によって、コストを削減できる上、部品（取付具５）の種類を間違えたりするようなミスが生じるのも確実に防止でき、パネル施工作業を簡単に行うことができる。
【００９２】
また本実施形態においては、取付具５における第１嵌合溝７１の溝底に切欠部７１１を形成して、木質パネル１の縁部と実際に接触するパネル接触面７１２の面積を小さく形成しているため、施工後に、吸湿等によって木質パネル１が延びたとしても、木質パネル１が屋内側に浮き上がるのを防止することができる。すなわち、木質パネル１を第１嵌合溝７１に嵌め込んで取付具５に支持した場合、木質パネル１における第１嵌合溝７１の底面との接触面積が小さいため、木質パネル１が延びた際の応力が、木質パネル１の取付具５との接触部に局所的に作用し、その接触部が圧壊変形する。これにより、木質パネル１が表面側に不用意に膨れ上がるような浮き上がり変形を防止することができ、良好な美観を維持することができる。
【００９３】
さらに第２嵌合溝７２は、溝長さが短いため、切欠部等を形成しなくとも、溝底の面積は小さいものである。このため、木質パネル１を第２嵌合溝７２に嵌め込んで取付具５に支持した場合においても、木質パネル１における取付具５との接触面積は小さくなっている。従って、木質パネル１が吸湿によって延びたとしても、上記と同様に、接触部に応力が集中してその接触部が圧壊変形することにより、木質パネル１が前方（表面側）に浮き上がるという不具合を確実に防止することができる。
【００９４】
なお、本実施形態において、第１嵌合溝７１の底面における木質パネル１との接触面積と、第２嵌合溝７２の底面における木質パネル１との接触面積とが等しくなるように形成している。このため、第１嵌合溝７１に木質パネル１を嵌合した状態（パネル間近接形態）と、第２嵌合溝７２に木質パネル１を嵌合した状態（パネル間離間形態）とのいずれの状態であっても、木質パネル１の浮き上がりを同様に抑制することができる。
【００９５】
また本実施形態においては、取付具５における嵌合溝７１，７２の開口端部の幅を、奥部（底部）の幅よりも大きく形成しているため、各嵌合溝７１，７２に木質パネル１の縁部を簡単かつスムーズに嵌め込むことができ、パネル施工作業を効率良く行うことができる。
【００９６】
しかも本実施形態においては、木質パネル１の縁部における嵌合凸部２５，３５の先端面と裏面との間に、面取り部２６，３６を形成しているため、木質パネル１の縁部（嵌合凸部２５，３５）を、取付具５の嵌合溝７１，７２内により一層簡単かつスムーズに嵌め込むことができ、パネル施工作業をより一層効率良く行うことができる。
【００９７】
また本実施形態においては、木質パネル１の構成材料として、杉や檜を用いることによって、より一層調湿性能を向上させることができる。すなわち杉や檜は、針葉樹材で比重が小さく、木材の中でも、湿気成分の吸放出機能が大きいため、上記の調湿性能をより向上させることができる。
【００９８】
さらに本実施形態において、例えば、木質パネル１の表面や裏面に溝や凸筋等の凹凸形状を形成することによって、木質パネル１の外表面積をさらに増大させることができ、調湿性能を一層向上させることができる。
【００９９】
ところで、本実施形態のパネル取付構造が適用された壁面構造において、液晶テレビ、プラズマテレビ、リアプロジェクションテレビ、有機ＥＬテレビ、ＦＥＤテレビ等の薄型テレビのディスプレイパネルを壁掛け状態で取り付けるような場合や、ＡＶシステムのスピーカーを壁掛け状態で取り付けるような場合には、木質パネルと壁面との間の空間（隙間）にテレビ用やスピーカー用等の電気配線を敷設することができる。これにより、スペースの有効利用を図りつつ、配線を隠蔽できて、美観を向上できる上さらに、配線を自在に張りめぐらせることができて、汎用性を向上させることができる。
【０１００】
さらに壁掛けされた薄型テレビ等の電気製品の関連機器例えば、テレビチューナー、ＨＤＤレコーダー、ステレオチューナー、ステレオアンプ等を木質パネルと壁面との間の空間に収容することも可能であり、それによって、より一層、スペースの有効利用およびデザイン性の向上を図ることができる。
【０１０１】
なお上記実施形態においては、通気路４の主要部４２が断面視で略直線状に形成されているが、それだけに限られず、本発明においては、通気路の主要部が、曲率半径が大きい曲線状に形成されるようにしても良い。例えば、上あご片の裏側傾斜面や下あご片の表側傾斜面を湾曲面に形成して、通気路の主要部を断面円弧状や緩やかな波状に形成するようにしても良い。
【０１０２】
さらに本発明においては、通気路の主要部における表面側端部が、裏面側端部に対し、表面側（室内側）に配置していれば良く、通気路の主要部の一部に、パネル並列方向（壁面）に対し傾斜していない部分が含まれていても良い。換言すれば、上あご片の裏側傾斜面の先端が、基端よりも表面側（屋内側）に配置されるとともに、下あご片の表側傾斜面の先端が、基端よりも裏面側（屋内壁面側）に配置されていれば良く、表面側傾斜面および裏面側傾斜面の一部に、傾斜していない部分が含まれていても良い。
【０１０３】
さらに本発明においては、裏面側傾斜面は、上あご片の裏側の面における少なくとも一部に設けられていれば良く、同様に、表面側傾斜面は、下あご片の表側の面における少なくと一部に設けられていれば良い。
【０１０４】
また上記実施形態においては、木質パネル１として帯板形状のものを用いているが、それだけに限られず、本発明において、木質パネルの形状は特に限定されるものではなく、正方形や長方形等の四角形状のもの、四角形以外の多角形状のもの、異形状のものを用いても良い。さらに異なる大きさの木質パネルを複合して用いるようにしても良い。
【０１０５】
また上記実施形態においては、ひとつの壁面を仕上げるに際して、パネル間近接形態と、パネル間隔離形態とのいずれか一方のみで施工するようにしているが、それだけに限られず、本発明においては、ひとつの壁面に対し、パネル間近接形態と、パネル間隔離形態とを併用して施工するようにしても良い。例えば木質パネルを１枚毎にパネル間近接形態とパネル間隔離形態とで交互に施工することにより、２枚毎にパネル間に隙間が形成されるように施工しても良い。さらに多数のパネル間のうち、ランダムな位置のパネル間に大きめの隙間を形成するようにしても良い。
【０１０６】
また上記実施形態において、パネル間近接形態では、隣り合う木質パネルの対向縁部を離間させるようにしているが、それだけに限られず、本発明において、パネル間近接形態で、隣り合う木質パネルの対向縁部を接触させるようにしても良い。
【０１０７】
さらに上記実施形態においては、木質パネルを、その上あご片が形成される側の縁部（一側縁部）を上側して施工するようにしているが、それだけに限られず、本発明においては、上あご片が形成される側の縁部（一側縁部）を下側して施工するようにしても良い。
【０１０８】
また上記実施形態においては、帯板形状の木質パネル１を水平方向（左右方向）に沿わせた状態で、上下方向に並列に並べて複数配置するように施工する場合を例に挙げて説明したが、本発明において、木質パネルの配列方向は限定されるものではない。例えば本発明において、帯板形状の木質パネル垂直方向（上下方向）に沿わせて配置した状態で、横方向に並列に並べて複数配置するように施工しても良い。この場合、木質パネルの並列方向（並び方向）は水平方向（左右方向）となる。
【０１０９】
また上記実施形態においては、パネル間設置体として、正面視四角形状（長方形）のものを用いているが、それだけに限られず、本発明においては、他の形状、例えば５角形以上の多角形のものを用いても良い。
【０１１０】
また本発明において、一径方向とは、径方向のいずれか一つの方向であり、他の径方向とは一径方向に対し直交し、かつ径方向のいずれか一つの方向である。
【０１１１】
また上記実施形態においては、木質パネルとして、集成材を用いるようにしているが、本発明において、木質パネルの素材は特に限定されるものではなく、無垢材等を用いても良く、要は木質系の素材であればどのような素材を用いても良い。
【０１１２】
さらに本発明において、木質パネルは、部分的に、合成樹脂や合成ゴム等の非木質系の部材が含まれていても良い。
【０１１３】
また取付具の素材はＰＰだけに限られず、取付具を、他の合成樹脂や、合成樹脂以外の素材、例えば金属等によって構成するようにしても良い。
【産業上の利用可能性】
【０１１４】
この発明の木質パネルの取付構造は、屋内の壁面に沿って複数の木質パネルが並べて施工される壁面構造に利用可能である。
【符号の説明】
【０１１５】
１：木質パネル
２：一側縁部（下側縁部、対向縁部）
２１：上あご片
２２：裏側傾斜面
３：他側縁部（上側縁部、対向縁部）
３１：下あご片
３２：表側傾斜面
４：通気路（隙間）
４１：表面側開口部
４２：主要部
４３：裏面側開口部
５：取付具
６：壁面設置体
７：パネル間設置体
Ｄ１：横方向（短径方向）
Ｄ２：縦方向（長径方向）
Ｈ１：横方向寸法
Ｈ２：縦方向寸法
Ｗ：壁面（屋内壁面）
【図１】
0005755894.tif 000002
【図２】
0005755894.tif 000003
【図３Ａ】
0005755894.tif 000004
【図３Ｂ】
0005755894.tif 000005
【図３Ｃ】
0005755894.tif 000006
【図４Ａ】
0005755894.tif 000007
【図４Ｂ】
0005755894.tif 000008
【図５】
0005755894.tif 000009
【図６Ａ】
0005755894.tif 000010
【図６Ｂ】
0005755894.tif 000011
【図６Ｃ】
0005755894.tif 000012
【図７】
0005755894.tif 000013
【図８】
0005755894.tif 000014